【手続補正書】
【提出日】平成17年5月6日(2005.5.6)
【手続補正１】
【補正対象書類名】特許請求の範囲
【補正対象項目名】全文
【補正方法】変更
【補正の内容】
【特許請求の範囲】
【請求項１】
発行者の証券に関するイベントに対する支払いを算定するためのコンピュータ実施方法であって、１つまたは複数のコンピュータまたはコンピュータシステムを動作して、
前記証券に関する支払い発生イベントについて、市場活動に応答して提供され、かつそれを特徴付ける電子信号を受信および監視するステップと、
その発生において証券の発行者が支払いを受け取るべきであるか、あるいは支払いを貸記されるべきである、事前定義された支払い発生イベント基準に従って、証券に関する支払い発生イベントを識別するデータを、監視された信号の中で識別するステップと、
支払い発生イベントを識別するデータと、関連支払い情報を関連付けるステップとを含む方法。
【請求項２】
関連付けるステップは、
データに、支払い発生イベントに関係するとしてフラグを立てるステップ、
又は、イベントデータを処理するためのさらなるデータおよび命令のうち少なくとも１つを追加するステップを含む、請求項１に記載の方法。
【請求項３】
関連支払い情報、および支払い発生イベントを識別するデータをコンピュータシステムまたはシステムに、発行者への支払いまたは貸記を処理するために電子的に通信するステップをさらに含む、請求項２に記載の方法。
【請求項４】
市場活動は、前記証券を含む１つまたは複数の証券の取引を含むが、それに限定されない、請求項１に記載の方法。
【請求項５】
前記１つまたは複数のコンピュータを動作して支払い情報を計算し、これを識別されたデータに付加するステップをさらに含む、請求項１に記載の方法。
【請求項６】
支払い発生イベントの識別に応答して複数の口座に借記および貸記するステップをさらに含む、請求項１から５のいずれかに記載の方法。
【請求項７】
複数の口座に借記および貸記するステップは、実質的にリアルタイムで支払い発生イベントの識別と共に起こる、請求項６に記載の方法。
【請求項８】
監視するステップはクリアリングおよび／または決済の前、又は、クリアリングおよび／または決済中に起こる、請求項１に記載の方法。
【請求項９】
支払い発生イベントは取引に無関係である、請求項１に記載の方法。
【請求項１０】
支払いは証券発行主体の特性の１つ以上、
又は、市場の特性の１つ以上に基づく、請求項９に記載の方法。
【請求項１１】
前記コンピュータまたはコンピュータシステムを証券取引所システムに動作可能に接続するステップと、
コンピュータまたはコンピュータシステムを動作して、取引情報を取引所システムから検索するステップと、
支払いを計算するステップと、
支払いを行う責任のある少なくとも１人の当事者を決定するステップとをさらに含む、請求項１に記載の方法。
【請求項１２】
取引情報は、クリアリングおよび／または決済を通じて完了される取引のみを含む、請求項１１に記載の方法。
【請求項１３】
支払い発生イベントは所定のトリガイベントであるか、
又は、事前定義された支払い計算および／または支払い構成に従って識別される、請求項１に記載の方法。
【請求項１４】
支払いは発行主体に支払うべきかつそれに帰するものである、請求項１に記載の方法。
【請求項１５】
発行主体は他の主体に支払いを命令する、請求項１４に記載の方法。
【請求項１６】
他の主体は、証券発行者に関連付けられたか又は、証券発行者の同盟に加わった主体である、請求項１５に記載の方法。
【請求項１７】
支払いを発行主体に貸記するステップは、支払いを、発行主体に代わって発行主体以外の主体に貸記するかあるいは支払うステップを含む、請求項１に記載の方法。
【請求項１８】
支払い発生イベントは関連取引である、請求項１に記載の方法。
【請求項１９】
少なくとも１つの主体によって発行された証券の取引を仲介するように構成された、コンピュータ実施取引所システムであって、少なくとも１つの取引所を含み、各取引所は、
所定のプロトコルに関する第１の規則のセットに従って取引を行うための第１のコンピュータ手段と、
第２の規則のセットに従って、ある程度の経済的利益を、取引に関係した証券の発行主体に移転することを行うための第２のコンピュータ手段とを含み、
２つ以上の取引所がある場合、前記取引所が相互通信できるようにすることを意味する、取引所システム。
【請求項２０】
ある程度の経済的利益は、取引に無関係のイベント又は事実の発生において発行主体に支払うべきものである、請求項１９に記載の取引所システム。
【請求項２１】
ある程度の経済的利益は、取引に関係する事実の発生において発行主体に支払うべきものである、請求項１９に記載の取引所システム。
【請求項２２】
第１および第２のコンピュータ手段のうち少なくとも１つは、第１の規則のセットおよび第２の規則のセットのうち少なくとも対応するものを実施するようにプログラムされた少なくとも１つのコンピュータを含む、請求項１９に記載の取引所システム。
【請求項２３】
少なくとも１つの取引所のネットワークをさらに含み、取引所ネットワークが、取引所ネットワークにおける各取引所のための集中アクセスポイントを有するように構成される、請求項１９に記載の取引所システム。
【請求項２４】
複数の取引所のうち少なくとも１つは発行側取引所である、請求項２３に記載の取引所システム。
【請求項２５】
発行側取引所が、発行者の証券以外の証券もトレードするように構成される、請求項２４に記載の取引所システム。
【請求項２６】
発行側取引所が第三者によってホストされる、請求項２４に記載の取引所システム。
【請求項２７】
ホストされた発行側取引所へのアクセスが、ホストされた発行側取引所へのリンクおよびフレームウィンドウのうち１つまたは複数を通じて提供される、請求項２６に記載の取引所システム。
【請求項２８】
発行者の証券に対する支払いを算定するためのコンピュータ化された支払い計算システムであって、
支払いを算定するための規則のセットを実施するようにプログラムされたコンピューティングデバイスを含み、コンピューティングデバイスが、コンピュータ化された株式取引所と通信するように構成される、コンピュータ化された支払い計算システム。
【請求項２９】
コンピューティングデバイスが、コンピュータ化された株式取引所の履歴システムと通信するように構成される、請求項２８に記載のコンピュータ化された支払い計算システム。
【請求項３０】
コンピューティングシステム上で実行されるとき、発行者の証券に対する支払いを算定するための方法を実行する、ソフトウェアを含む記憶媒体であって、この方法は、
前記証券に関する支払い発生イベントについて、市場活動に応答して提供され、かつそれを特徴付ける電子信号を受信および監視するステップと、
その発生において証券の発行者が支払いを受け取るべきであるか、あるいは支払いを貸記されるべきである、事前定義された支払い発生イベント基準に従って、証券に関する支払い発生イベントを識別するデータを、監視された信号の中で識別するステップと、
支払い発生イベントを識別するデータと、関連支払い情報を関連付けるステップとを含む、記憶媒体。
【請求項３１】
請求項２３から２７のいずれかに記載のコンピュータ実施取引所システムにおいて、支払い計算および／または支払い構成を定義するための方法であって、
発行者の証券に対して算定されるべき支払いを計算するための１つまたは複数の規則を構成するステップと、
支払いを、１つまたは複数の支払いを受け取る主体に割り振るための１つまたは複数の規則を構成するステップとを含む方法。
【請求項３２】
支払い計算および／または支払い構成が、
事前承認された支払いおよび／または支払い構成設定のセットから選択される、
及び／又は、１つまたは複数の所定の時間に定義される、請求項３１に記載の方法。
【請求項３３】
所定の時間が取引所の１つまたは複数の規則によって規定される、請求項３２に記載の方法。
【請求項３４】
複数の支払い計算および／または支払い構成を定義するステップと、
変数関係とをさらに含み、特定の取引に関係する、あるいは特定の取引に無関係の事実について使用される支払い計算および／または支払い構成が、変数関係によって規定される、請求項３２に記載の方法。
【請求項３５】
主コンピュータシステムと、複数のスタンドアロンの証券取引システムとから成る取引所であって、前記各スタンドアロン証券取引システムは、交換活動に関する情報を通信ネットワークを介して、前記取引システムからの全情報を入れ得る前記主コンピュータシステムに伝送可能であり、
前記主コンピュータシステムは、前記情報を処理して実質的に同種の整理統合情報を通信ネットワークを介して、１つ以上の前記取引システムに返送する取引所。
【請求項３６】
少なくとも１つの前記取引システムが、前記取引システム上で交換されている証券のそれぞれの発行者によって操作されている、請求項３５に記載の取引所。
【請求項３７】
少なくとも幾つかの前記取引システムが、１つ以上の発行者と提携する第３者によって操作されている、請求項３５に記載の取引所。
【請求項３８】
複数の顧客が、１つ以上のそれぞれの通信ネットワークを介して、前記複数の取引システムに接続可能な、請求項３５に記載の取引所。